(57)【要約】      （修正有）【課題】緊急情報の送信を確実に行うとともに、誤動作による誤送信を防止できる無線機の誤動作防止具および誤動作防止システムを提供する。【解決手段】誤動作防止具２が無線機に装着されることにより誤動作防止システムが形成される。無線機は、回転可能なロックスイッチと、筺体に固定されて不動なアンテナとを有する。誤動作防止具２は、支持リング２１とスイッチカバー２２と連結部２３とを有する。支持リング２１はアンテナに支持される。スイッチカバー２２はロックスイッチを被覆する。連結部２３は支持リング２１とスイッチカバー２２とを連結する。【選択図】図２
0003219342.tif 000002
【実用新案登録請求の範囲】
【請求項１】
無線機に装着される誤動作防止具であって、
無線機の不動部に支持される支持リングと、
無線機のスイッチを被覆するスイッチカバーと、
前記支持リングと前記スイッチカバーとを連結する連結部と
を備える誤動作防止具。
【請求項２】
可動なスイッチと不動部とを有する無線機と、
前記不動部に支持される支持リングと、前記スイッチを被覆するスイッチカバーと、前記支持リングと前記スイッチカバーとを連結する連結部とを有する誤動作防止具と
を備える誤動作防止システム。
【請求項３】
前記スイッチに第１外力が作用した場合、前記連結部は前記第１外力に対抗して、前記スイッチの位置を維持し、
前記スイッチに前記第１外力より大きな第２外力が作用した場合、前記連結部は分断され、前記第２外力は前記スイッチの位置を変更する
請求項２記載の誤動作防止システム。
【請求項４】
前記第１外力は、接触動作であり、
前記第２外力は、スイッチ操作である
請求項３記載の誤動作防止システム。
【請求項５】
前記連結部の中間部は、前記支持リングとの延設部および前記スイッチカバーとの延設部に比べて肉薄である
請求項２〜４記載の誤動作防止システム。
【請求項６】
前記連結部の支持リング延設部は支持リングと滑らかに連続し、前記連結部のスイッチカバー延設部はスイッチカバーと滑らかに連続する
請求項５記載の誤動作防止システム。
【請求項７】
前記不動部は、無線機のアンテナである
請求項２〜６記載の誤動作防止システム。
【請求項８】
前記アンテナと前記支持リングの間には遊びがある
請求項７記載の誤動作防止システム。
【請求項９】
前記スイッチは前記無線機の筺体と異なる色であり、
前記スイッチカバーは透明または半透明である
請求項２〜８記載の誤動作防止システム。
【考案の詳細な説明】
【技術分野】
【０００１】
本考案は誤動作防止具および誤動作防止システムに関し、特に、緊急情報を送信する無線機において、誤動作による誤送信を防止する技術に関するものである。
【背景技術】
【０００２】
鉄道工事では安全確保が最優先であり、細心の注意が払われている。それでも予想外の事態は発生する。線路上または線路付近で作業する作業員などが異常に気が付いた場合、緊急情報を送信する。緊急情報を受信した周囲の列車の運転手は、手動または自動で必ず列車を停止させ、重大事故の防止が図られている。
【０００３】
一方、緊急停止など緊急情報を誤って送信し、列車が非常停止してしまうと、当該列車だけでなく後続する列車や乗り入れの列車の運行にも影響を及ぼす。したがって、作業員などが誤送信しないようにする必要がある。
【０００４】
上記課題に対し、緊急情報の送信を確実に行うとともに、誤送信を低減する技術が提案されている（例えば、特許文献１）。
【０００５】
特許文献１の無線機は、電源スイッチと、ロックスイッチと、送信スイッチの３つのスイッチを有している。電源スイッチは作業中常時オンとなっている。ロックスイッチは通常時はロック状態となっている。
【０００６】
送信スイッチを押すと緊急情報の送信が可能となる。ただし、ロックスイッチがロック状態の場合は、送信スイッチを押しても、送信が許可されない。
【０００７】
緊急時には、ロックスイッチをロック解除状態とすることで、送信が許可され、送信スイッチを押すと送信が開始される。すなわち、ロックスイッチを設けることで、意図せぬ誤送信を低減している。
【０００８】
さらに、ロックスイッチがロック解除状態となってから、制限時間以内に送信スイッチが操作されない場合は、送信が許可されない。これにより、意図せぬ誤送信を低減している。
【先行技術文献】
【特許文献】
【０００９】
【特許文献１】特開２００８−０３５６９５号公報
【考案の概要】
【考案が解決しようとする課題】
【００１０】
上記無線機では、誤送信リスクが大幅に軽減されている。それでも予想外の事態は発生するおそれがある。
【００１１】
作業員は無線機の他にも工具や安全帯などを身に着けている。作業管理者は更にカメラや測量器具等身に着けている。また、作業服にはポケットが多く設けられ、さらに安全ベストが重ねられているため、引っ掛かる箇所が多い。作業をしている最中に、工具等や作業服等と無線機とが接触し、意図せず、ロックスイッチがロック解除状態となったのち、送信スイッチが押されるおそれがある。これら意図せぬ誤動作により誤送信が発生する。
【００１２】
実務において、短時間に誤動作が連続して起こるおそれは少なく、このような誤送信のリスクは低いとしても、誤送信による影響を考慮すると、作業員や作業管理者にとって、大きな心理的負担となっている。
【００１３】
一部の作業員や作業管理者は、無線機全体を覆う袋にいれて携帯することを検討している。しかしながら、袋に入れた状態では、緊急情報を迅速に送信できない。例えば、数秒早く送信することで、被害を最小限に抑えられる可能性もある。
【００１４】
本考案は上記課題を解決するものであり、緊急情報の送信を確実に行うとともに、誤動作による誤送信を防止する技術を提供することを目的とする。
【課題を解決するための手段】
【００１５】
上記課題を解決する本考案は、無線機に装着される誤動作防止具であって、無線機の不動部に支持される支持リングと、無線機のスイッチを被覆するスイッチカバーと、前記支持リングと前記スイッチカバーとを連結する連結部とを備える。
【００１６】
上記課題を解決する本考案は、無線機と誤動作防止具とを備える誤動作防止システムである。無線機は、可動なスイッチと不動部とを有する。誤動作防止具は、前記不動部に支持される支持リングと、前記スイッチを被覆するスイッチカバーと、前記支持リングと前記スイッチカバーとを連結する連結部とを有する。
【００１７】
これにより、外力によりスイッチが動こうとするとき、連結部および支持リングを介して、力が不動部に伝達されて、不動部が対抗する。その結果、スイッチの誤動作を防止でき、誤送信を防止できる。
【００１８】
好ましくは、前記スイッチに第１外力が作用した場合、前記連結部は前記第１外力に対抗して、前記スイッチの位置を維持し、前記スイッチに前記第１外力より大きな第２外力が作用した場合、前記連結部は分断され、前記第２外力は前記スイッチの位置を変更する。
【００１９】
好ましくは、前記第１外力は、接触動作であり、前記第２外力は、スイッチ操作である。
【００２０】
これにより、意図せぬ接触時には緊急情報は送信されず、意図的なスイッチ操作時には確実に緊急情報が送信される。
【００２１】
好ましくは、前記連結部の中間部は、前記支持リングとの延設部および前記スイッチカバーとの延設部に比べて肉薄である。
【００２２】
これにより、第２外力（例えばスイッチ操作）が作用した場合、連結部は中間部にて容易に分断される。
【００２３】
好ましくは、前記連結部の支持リング延設部は支持リングと滑らかに連続し、前記連結部のスイッチカバー延設部はスイッチカバーと滑らかに連続する。
【００２４】
その結果、連結部の中間部は相対的に肉薄になる。また、連結部の中間部にて選択的に分断しやすくなる。
【００２５】
好ましくは、前記不動部は、無線機のアンテナである。
【００２６】
アンテナが支持リングに挿通されることにより、スイッチが動くと、アンテナに支持力が発生する。
【００２７】
好ましくは、前記アンテナと前記支持リングの間には遊びがある。
【００２８】
これにより、さらに確実に誤動作を防止する。
【００２９】
好ましくは、前記スイッチは前記無線機の筺体と異なる色であり、前記スイッチカバーは透明または半透明である。
【００３０】
色により注意喚起することで、さらに確実に誤動作を防止する。
【考案の効果】
【００３１】
本考案の誤動作防止具および誤動作防止システムによれば、緊急情報の送信を確実に行うとともに、誤動作による誤送信を防止できる。
【図面の簡単な説明】
【００３２】
【図１】無線機構成図
【図２】誤動作防止具構成図
【図３】誤動作防止具装着動作説明図
【図４】誤動作防止具装着状態説明図
【図５】緊急情報送信後状態説明図（前面）
【図６】緊急情報送信後状態説明図（後面）
【考案を実施するための形態】
【００３３】
〜無線機〜
図１は、無線機１の構成図である。無線機１は一般に市販されている無線機を改良したものである。
【００３４】
無線機１は、電源スイッチ１１、ロックスイッチ１２、送信スイッチ１３、アンテナ１４、スピーカ部１５、マイク部１６、モニタ部１７、ＬＥＤ部１８を備える。
【００３５】
電源スイッチ１１、ロックスイッチ１２、アンテナ１４は筺体上面に設けられている。送信スイッチ１３は筺体左側面に設けられている。スピーカ部１５、マイク部１６、モニタ部１７、ＬＥＤ部１８は、筺体前面に設けられている。
【００３６】
電源スイッチ１１は、電源のオンまたはオフを切り替える回転式スイッチである。電源オフ位置から時計（右）回りに電源オン位置まで回すことで電源がオンとなる。電源オン位置から反時計（左）回りに電源オフ位置まで回すことで電源がオフとなる。さらに、電源スイッチ１１は、音量ボリュームとしての機能も有していてもよい。例えば、電源オン位置から更に時計（右）回りに回すほどスピーカ音量が大きくなる。
【００３７】
ロックスイッチ１２は、緊急情報の送信ロックを解除するか否か（緊急情報の送信を許可するか否か）を切り替える回転式スイッチである。基準位置ではロック状態にある。基準位置から時計（右）回りにロック解除位置まで回すことでロック解除状態となる。また、ロック解除位置から反時計（左）回りに基準位置まで回すことでロック状態になる。
【００３８】
ロックスイッチ１２は、回転操作を容易とするように、摘みを有する。
【００３９】
送信スイッチ１３は、自機からの緊急情報送信を開始するか否かを切り替える押し下げ式スイッチである。緊急情報の送信ロックが解除された状態（緊急情報の送信を許可する状態）で押し下げ操作することで緊急情報の送信を開始する。緊急情報は、たとえば、予め登録されている警告音声である。なお、警告音でもよいし、操作者の音声でもよい。
【００４０】
なお、緊急情報の送信に関わる操作を受け付けるロックスイッチ１２及び送信スイッチ１３は、誤操作の防止のために、無線機１筺体や他の部位とは異なる色彩や材質となしてもよい。例えば、無線機１筺体や他の部位を黒色とし、ロックスイッチ１２及び送信スイッチ１３は、注意喚起を促す色（赤色や黄色など）とする。
【００４１】
アンテナ１４は筺体上面左側から上方へ立設されている。またアンテナ１４はロックスイッチ１２の隣に位置する。ロックスイッチ１２が回転可動であるのに対し、アンテナ１４は不動である。
【００４２】
スピーカ部１５は、無線により送信した音声等を出力する。マイク部１６は、無線により送信する音声等を入力する。なお、緊急情報が予め登録されている警告音声である場合、マイク部１６は必須ではない。
【００４３】
モニタ部１７は、自機の状態を示す情報、すなわち、例えば、自機からの緊急情報の送信を許可する状態であることを示す情報、自機から緊急情報を送信中の状態であることを示す情報、他の無線機から緊急情報を受信中の状態であることを示す情報などを表示する。
【００４４】
ＬＥＤ部１８は、自機の状態に応じた色の点灯や点滅を行う。具体的には、例えば、自機からの緊急情報の送信を許可する状態であれば黄色を点灯し、自機から緊急情報を送信中の状態であれば赤色を点灯する。
【００４５】
〜誤動作防止具〜
図２は、誤動作防止具２の構成図である。図３は誤動作防止具２の装着動作を説明する図である。図４は誤動作防止具２の装着状態を説明図である。誤動作防止具２が無線機１に装着されることにより誤動作防止システムが形成される。
【００４６】
誤動作防止具２は、支持リング２１と、スイッチカバー２２と、連結部２３とを備える。
【００４７】
支持リング２１は、アンテナ１４断面半径とおおよそ対応する半径を有するリングである。スイッチカバー２２はロックスイッチ１２を被覆するよう形成されている。特に、ロックスイッチ１２は摘みを有し、スイッチカバー２２は当該摘みも被覆する摘みを有する。
【００４８】
支持リング２１とスイッチカバー２２とは、アンテナ１４とロックスイッチ１２との位置関係に対応するように、配置され、連結部２３を介して一体となっている。連結部２３は、支持リング２１外壁から延設されるとともに、スイッチカバー２２外壁から延設される。なお、連結部２３は、支持リング延設部およびスイッチカバー延設部と比べて、中間部が肉薄に形成されていることが好ましい。さらに、連結部２３の支持リング延設部およびスイッチカバー延設部においては、支持リング２１部およびスイッチカバー２２と滑らかに連続することが好ましい（図示省略）。
【００４９】
これにより、支持リング２１にアンテナ１４が挿通されるとともに、ロックスイッチ１２はスイッチカバー２２に嵌合される。つまり、誤動作防止具２が無線機１に装着される。
【００５０】
〜動作〜
誤動作防止具２が装着されていない場合、ロックスイッチ１２が何かと接触した際、ロックスイッチ１２が回転し、ロック解除状態となるおそれがある。さらに送信スイッチ１３が何かしらの要因で押されると、これらの誤動作により、意図せぬ誤送信が発生する。
【００５１】
誤動作防止具２が装着されておる場合、ロックスイッチ１２を被覆するスイッチカバー２２が何かと接触した際、接触により作用する力は連結部２３を介して支持リング２１に伝達される。仮に接触により作用する力が、ロックスイッチ１２を回転する方向に作用した場合、支持リング２１はアンテナ１４に係止され、接触により作用する力に対抗する。つまり支持力が発生する。
【００５２】
その結果、ロックスイッチ１２は回転せず、ロック解除状態とならない。この状態で、送信スイッチ１３が何かしらの要因で押されても、送信されない。つまり、誤動作による誤送信を防止できる。
【００５３】
緊急時には、スイッチカバー２２の摘みを介してロックスイッチ１２を回転する操作をする（摘みを捻る）。なお、スイッチカバー２２の摘みはロックスイッチ１２の摘みより一回り大きくなる。その結果、回転半径が大きくなり、より大きなモーメントが発生する。
【００５４】
回転操作により作用する力は、連結部２３に伝達される。支持リング２１に反力が発生するとともに、連結部２３には捻りせん断力が発生し、連結部２３を容易に分断する。なお、連結部２３中間部が肉薄であると、より分断しやすくなる。さらに、連結部２３と支持リング２１および連結部２３とスイッチカバー２２とが滑らかに連続すると、当該箇所で分断しにくくなり、相対的に連結部２３中間部にて選択的に分断しやすくなる。
【００５５】
図５および図６は、緊急情報を送信するためにロックスイッチ１２を回転した状態を説明する図である。図５は無線機前面側からの斜視図であり、図６は無線機後面側からの斜視図である。連結部２３は、支持リング２１から延設される連結部２３Ａとスイッチカバー２２から延設される連結部２３Ｂとに分断される。
【００５６】
これにより、ロックスイッチ１２は回転し、ロック解除状態となる。この状態で、送信スイッチ１３を押すと、緊急情報が送信される。つまり、意図的なスイッチ操作時のみ、緊急情報を送信できる。
【００５７】
〜色の検討〜
たとえば、注意喚起のためロックスイッチ１２の色を無線機の筺体の色（黒）と異なる黄色とした場合、スイッチカバー２２は透明または半透明であることが好ましい。これにより、ロックスイッチ１２における注意喚起を維持できる。
【００５８】
ロックスイッチ１２の色が無線機の筺体の色と同じ場合、スイッチカバー２２の色を注意喚起を促す色に変えてもよい。
【００５９】
〜遊びの有無の検討〜
支持リング２１内径はアンテナ１４断面外径と同じ（すなわち、遊びなし）でもよいが、アンテナ１４と支持リング１１の間に遊び（微小隙間）を設けることで、以下の効果が期待できる。
【００６０】
過剰な摩擦抵抗なく、支持リング２１にアンテナ１４が滑らかに挿通される（図３参照）。その結果、スイッチカバー２２はロックスイッチ１２を適切に被覆し、確実に誤動作防止機能が作動する。
【００６１】
スイッチカバー２２との接触により外力が作用するとき、遊びが衝撃の一部を吸収する可能性がある。その結果、連結部２３は容易に分断されず、ロックスイッチ１２は回転せず、ロック解除状態とならない。この点でも誤動作を防止する。
【００６２】
緊急情報送信時に連結部２３が分断されると、支持リング２１が下方に移動（落下）する（図５および図６参照）。これにより、誤動作防止具２が使用済みであることを容易に目視確認でき、新しい誤動作防止具２への交換を促すことができる。結果的に誤動作を防止する。
【００６３】
〜その他〜
上記実施形態では、誤動作防止具２の反力をとる不動部として、アンテナ１４を利用した。筺体に固定され不動であれば、アンテナ１４以外でもよい。
【００６４】
上記実施形態では、可動するスイッチとしてロックスイッチ１２に着目した。一方、送信スイッチ１３を被覆して、送信スイッチ１３の操作に伴い連結部が分断されるように構成してもよい。
【００６５】
スイッチカバー２２に回転方向を示す矢印を記載しておけば、緊急情報送信時の混乱を避けることができる（図２参照）。
【００６６】
その他、本願考案は上記実施形態に限定されず、その技術思想の範囲で種々の変形が可能である。
【符号の説明】
【００６７】
１  無線機
２  誤動作防止具
１１  電源スイッチ
１２  ロックスイッチ
１３  送信スイッチ
１４  アンテナ
１５  スピーカ部
１６  マイク部
１７  モニタ部
１８  ＬＥＤ部
２１  支持リング
２２  スイッチカバー
２３  連結部
【図１】
0003219342.tif 000003
【図２】
0003219342.tif 000004
【図３】
0003219342.tif 000005
【図４】
0003219342.tif 000006
【図５】
0003219342.tif 000007
【図６】
0003219342.tif 000008